(57)【特許請求の範囲】
【請求項１】
日常の生活音、放送番組の受信情報を含む各種情報源からの音声・映像情報が記録された情報記録媒体の情報を再生する再生手段と、
前記再生手段からの再生情報を受けて音声・映像を表示する宅内ＡＶ機器と、
乱数を生成して乱数情報を出力する乱数発生手段と、
前記情報記録媒体の記録情報のジャンルを判別するジャンル判別手段と、
早朝から深夜までを複数の時間帯に区切り、各時間帯に識別用の時間帯コードを付与するとともに、各時間帯毎に再生開始時刻及び再生停止時刻を複数パターン設定し、各パターンに識別用のパターンコードを付与した再生用時間テーブルと、
前記再生手段を制御する制御手段と、を備え、
前記制御手段は、再生開始指令を受けると、前記乱数発生手段から発生された乱数情報に基づいて、前記再生用時間テーブルの前記時間帯コードと前記パターンコードとを組み合わせた時間データを生成し、予め時間帯毎に設定された再生ジャンルの中から前記時間データに対応する再生ジャンルを選択して、これら時間データと再生ジャンルとを記憶手段に記憶する一方、前記記憶手段に記憶された時間データに基づいて前記再生手段を制御し、前記ジャンル判別手段にて判別された前記再生ジャンルに該当する記録情報を前記情報記録媒体から読み取って再生させることでランダム再生を実行することを特徴とする防犯機能を備えたＡＶ装置。
【請求項２】
前記生活音が、一般家庭で日常交わされる典型的な複数種の定型会話と、前記ジャンル毎の情報にそれぞれ関連づけられた非定型の会話とを含み、
前記制御手段は、前記放送番組の情報を再生させた場合にはその後、前記非定型会話の何れかを再生させ、前記放送番組以外の情報を再生させた場合にはその後、前記定型会話の何れかを再生させることを特徴とする請求項１に記載の防犯機能を備えたＡＶ装置。
【発明の詳細な説明】
【技術分野】
【０００１】
本発明は、ＴＶ、プロジェクター、ディスクプレイヤー等のＡＶ装置に係り、特に、情報記録媒体に記録された防犯用の音声・映像情報をＡＶ装置から再生出力し、住人の不在時に不審者の侵入防止を図る防犯機能を備えたＡＶ装置に関する。
【背景技術】
【０００２】
住人の不在時に不審者の侵入を防止するための装置が各種提案されている。
この一例として、錠前の設置や警備システムに頼ることなく盗難を防止することを目的とした防犯システムが知られている。
【０００３】
この防犯システムは、予めテープレコーダーに生活音を録音しておき、住人の不在中に、テープレコーダーを再生して生活音をスピーカから放音させ、排気孔や窓などを利用して住居外に流すようになっている。
【０００４】
この生活音は、食器を洗う音、ＴＶやラジオの音、洗濯機の音、人が階段を駆け下りたり子供が騒ぐ音などである。
【０００５】
なお、タイマ設定や住宅照明システムに連動させて、夜間に照明を点灯させる構成も有している。
【特許文献１】特開２００３−１１５０８７号公報また、在宅を装うため様々なバリエーションの機器の制御や生活音の再生を可能にすることを目的とした防犯システムも提案されている。この防犯システムは、スクリプトに応じてストリームデータまたは制御信号を配信するサーバと、スクリプトを格納するデータベースと、利用者の建物内に設置されサーバからの配信を受ける端末と、この端末が受け取ったストリームデータまたは制御信号により動作する宅内機器とを備えて構成されている。そして、利用者が端末に接続された操作パネルを操作し、外出モードに設定すると、防犯センサの監視が開始されると同時に、スピーカから音声が放音される。この音声は、利用者の生活タイプに応じたものであり、サーバからスクリプトに従って配信される。これにより、様々なバリエーションの生活音が再生放音されるので、在宅を装うことができ、防犯の抑止力になるというものである。
【特許文献２】特開２００５−１４１４７８号公報さらに、屋外に向けて在宅中の映像を投影し、在宅中に見せかけることにより、空き巣や放火などを防止することを目的とした防犯システムも知られている。このものは、サービス事業者に設置されたセンターサーバと、会員宅に設置された宅内サーバと、映像投影装置および宅内指示端末装置により構成されている。そして、会員が映像投影を希望する場合、宅内サーバに対し指示端末装置を通じて、映像を開始する時間、投影を終了する時間を入力する。すると、宅内サーバは、入力内容に従い、センターサーバから映像情報を受信し、映像投影装置により屋外に向けて在宅中の映像を投影する。これにより、外出などで住宅に人がいない場合でも、住宅内に人がいるように見せかけることができ、空き巣などの犯罪を防止できるというものである。
【特許文献３】特開２００３−３４５８８１号公報
【発明の開示】
【発明が解決しようとする課題】
【０００６】
しかしながら、上記特許文献１の防犯システムは、タイマ設定により住人の不在中に特定の時間帯でテープレコーダーを再生動作させたり、夜間に照明を点灯させるので、表示がワンパターンとなり、見破られ易いという欠点があった。
また、上記特許文献２の防犯システムは、サーバ、データベースおよび端末が必要なことから、通信ネットワークが不可欠なものであり、このネットワークシステムを導入していない家庭では利用できなかった。
また、このネットワークシステムを導入する場合には、サービス提供会社に加入したり、端末機器を備えなければならず、甚だ高価になるという難点もあった。
また、上記特許文献３の防犯システムも、センターサーバ、宅内サーバおよび宅内指示端末装置が不可欠であり、上記特許文献２の防犯システムと同じく、このネットワークシステムを導入していない家庭では利用できなかった。
本発明は、上記課題に鑑みてなされたもので、簡単な構成により住人の不在時に不審者の侵入を防止することができる防犯機能を備えたＡＶ装置を提供することを目的としている。                 
【課題を解決するための手段】
【０００７】
上記目的を達成するため、本発明による防犯機能を備えたＡＶ装置は、日常の生活音、放送番組の受信情報を含む各種情報源からの音声・映像情報が記録された情報記録媒体の情報を再生する再生手段と、前記再生手段からの再生情報を受けて音声・映像を表示する宅内ＡＶ機器と、乱数を生成して乱数情報を出力する乱数発生手段と、前記情報記録媒体の記録情報のジャンルを判別するジャンル判別手段と、早朝から深夜までを複数の時間帯に区切り、各時間帯に識別用の時間帯コードを付与するとともに、各時間帯毎に再生開始時刻及び再生停止時刻を複数パターン設定し、各パターンに識別用のパターンコードを付与した再生用時間テーブルと、前記再生手段を制御する制御手段と、を備え、前記制御手段は、再生開始指令を受けると、前記乱数発生手段から発生された乱数情報に基づいて、前記再生用時間テーブルの前記時間帯コードと前記パターンコードとを組み合わせた時間データを生成し、予め時間帯毎に設定された再生ジャンルの中から前記時間データに対応する再生ジャンルを選択して、これら時間データと再生ジャンルとを記憶手段に記憶する一方、前記記憶手段に記憶された時間データに基づいて前記再生手段を制御し、前記ジャンル判別手段にて判別された前記再生ジャンルに該当する記録情報を前記情報記録媒体から読み取って再生させることでランダム再生を実行することを特徴としている。
また、前記生活音が、一般家庭で日常交わされる典型的な複数種の定型会話と、前記ジャンル毎の情報にそれぞれ関連づけられた非定型の会話とを含み、前記制御手段は、前記放送番組の情報を再生させた場合にはその後、前記非定型会話の何れかを再生させ、前記放送番組以外の情報を再生させた場合にはその後、前記定型会話の何れかを再生させることを特徴としている。
【発明の効果】
【０００８】
以上説明したように、本発明による防犯機能を備えたＡＶ装置は、日常の生活音や放送番組等の音声・映像情報をランダムに再生させ、宅内ＡＶ機器で表示させることから、従来のように、音声・映像情報の表示がワンパターンとならないため、不審者に見破られ難くなって住人の不在時に不審者の侵入を防止し得る効果がある。
また、早朝から深夜までを複数の時間帯に区切り、各時間帯に識別用の時間帯コードを付与するとともに、各時間帯ごとに再生開始時刻及び再生停止時刻を複数パターン設定し、各パターンに識別用のパターンコードを付与した再生用時間テーブルを用いてランダム再生を実行させるため、タイマ設定で定刻に音声・映像情報を表示する場合に比して不審者により見破られ難くなる利点があるとともに、一般家庭の１日の生活状態を表示することができる利点がある。
また、制御手段は、放送番組の情報を再生させた場合にはその後、非定型会話の何れかを再生させ、放送番組以外の情報を再生させた場合にはその後、定型会話の何れかを再生させることから、放送番組を視聴した後に家人が話し合っているように見せかけ、さらに、何らかの出来事の後で家人が日常的な話し合いをしているように見せかけられる利点がある。
【発明を実施するための最良の形態】
【０００９】
以下、本発明に係る防犯機能を備えたＡＶ装置の実施形態について、図面を参照しながら詳述する。
図１は本発明の一実施形態である防犯機能を備えたＡＶ装置の電気的構成を示すブロック線図である。
本実施形態に係るＡＶ装置は、一般家庭に備えられたディスクプレイヤー１およびテレビ２を用い、各種の音声・映像情報を記録したＤＶＤ３を再生して屋外に音声を流し、映像を表示する構成になっている。
このＤＶＤ３は、トラックにリードインエリヤ、ユーザーデータエリヤおよびリードアウトエリヤが設けられている。
そして、ユーザーデータエリヤに、音声および映像情報からなるオーディオ・ビデオデータ（ＡＶデータ）が記録され、このＡＶデータの管理情報がリードインエリヤに記録されるようになっている。
【００１０】
本例では、このＤＶＤ３に予め日常の生活音、各種情報源からの音声・映像情報等を主情報として記録し、防犯専用としている。
【００１１】
情報源としては、主にテレビ放送番組を各種受信した情報、ビデオカメラで各種のシーンを撮影した情報等である。
日常の生活音は、一般家庭で発生する様々な音であり、マイクロフォンによって集音し記録する。
また、音声として、日常交わされる典型的な定型会話、例えば、挨拶や電話の応答、何かの出来事についての話し合い等を複数種記録している。
さらに、前記テレビ放送番組のジャンル情報毎にそれぞれ関連づけられた非定型の会話も複数種記録している。例えば、テレビ放送番組では、視聴した後の感想や批評等である。
このＤＶＤ３は、前記各種情報源からの音声・映像情報や日常の生活音等をディスクプレイヤー１で記録することにより、ユーザー自らが制作してもよいし、メディアメーカーにて制作し一般に提供してもよい。
ところで、このＤＶＤ３には、予めＩＤが付されている。また、管理情報としては、放送番組に関したＥＰＧ情報（電子番組情報）、各情報間の記録順位、各情報の記録位置を示すセクター情報等が含まれている。
【００１２】
ＥＰＧ情報は、タイトル、ジャンル、放送チャンネル、番組の所要時間等によって構成されている。
【００１３】
このような番組関連情報や前記撮影情報は、録画機能を有したディスクレコーダーによってＤＶＤ３に記録される。また、ディスクレコーダーのキー操作部にて前記各情報に関連した情報を入力すると、入力信号処理部により文字コードに符号化された後、制御部に送られる。
この制御部は、録再信号処理部に前記情報を送出し、番組記録時や撮影時の日時情報等とともにリードインエリヤへ管理情報として書き込ませる。
図１において、４はＤＶＤ３を載置するディスクトレイであり、ディスクモータ５によって回転駆動される。
このディスクモータ５は、図示省略したスレッドモータやトレイモータとともに、サーボ回路６によって駆動制御される。
このサーボ回路６は、コントローラ１５からの制御に従い、光ピックアップ７から送出される各種受光出力をフィードバックし、光ピックアップ７に関するトラッキングサーボ、フォーカスサーボおよびスレッドサーボを制御する。
光ピックアップ７は、ＤＶＤ３のトラックに情報を書き込みおよび光学的に読み取った再生情報をＲＦアンプ８に出力する。
このＲＦアンプ８は、再生情報を信号処理部９に伝送する。この信号処理部９は、再生情報を受けて管理情報を抽出しコントローラ１５側に送出する。また、生成したクロックを用いてディジタルデータを取り出し、デコーダ部１０に送出する。
このデコーダ部１０は、信号処理部９から出力されるディジタルデータのうちビデオストリームやオーディオストリームを伸長した後、アナログの音声・映像信号に変換し接続端子１ａに送出する。
この接続端子１ａには、テレビ２が接続されており、音声・映像信号を受けて画面に映像を表示し、スピーカから音声を放音させる。
なお、接続端子１ａには、図示省略したＯＳＤ回路の出力が導かれている。このＯＳＤ回路は、リモコン１１の操作に応じるコントローラ１５によって表示制御され、テレビ画面にメニューや再生映像に関した情報等を表示させる。
１１はリモコンであり、ディスクプレイヤー１およびテレビ２を遠隔操作するための各種機能キーを備えている。
この機能キーとしては、一般のリモコンと同様、電源オン・オフ用のパワーキー、トレイ開閉用の開閉キー、メニューキー、再生用のプレイキー、ストップキー、クリヤーキーその他各種キーを備えている。
このように構成されたリモコン１１は、何れかのキーが押圧操作されると、その操作内容に応じた指令が赤外線信号で送信される。
１２は受信部であり、リモコン１１から送信されてくる赤外線信号を受信して、その伝送信号をコントローラ１５側に送出する。
このコントローラ１５は、マイクロコンピュータからなる制御部であり、メモリ１３、タイマ１４とともに、乱数発生器１５ａおよびジャンル判別部１５ｂ等を備えている。
メモリ１３には、ランダム再生のため、図２に示すように、１日を数時間の間隔に区切る時間帯データを予め記憶している。また、再生開始時刻と再生停止時刻とをそれぞれ異ならせる時間データが複数記憶される。
さらに、再生情報のジャンルを判別して選択的に再生させるため、ドラマ、バラエティ、アニメ、スポーツ、ミュージックといったジャンルのデータも記憶される。
乱数発生器１５ａは、高速ディジタル処理により乱数を生成して出力するもので、例えば、コンピュータへの内蔵が容易なランダムマスター（（株）東芝製）が用いられる。
また、ジャンル判別部１５ｂは、管理情報に含まれるＥＰＧ情報（電子番組情報）から、ジャンル情報を取得してドラマ、バラエティ、アニメ、スポーツ、ミュージックといったジャンルを判別する。
このコントローラ１５は、再生開始指令を受けると再生モードに入り、再生処理部およびサーボ回路６等を動作させて、ＤＶＤの記録情報を再生させる。
次に、上記防犯機能を備えたＡＶ装置の動作について、図３のフローチャートを参照しつつ説明する。
ユーザーが家を留守にするとき、まず、ディスクプレイヤー１とテレビをＯＮにしておく。
そして、このディスクプレイヤー１に防犯用のＤＶＤ３をセットすると、指令信号が入力したか否かが判別される（ステップＳ１１）。
ここで、ユーザーがリモコン１１のプレイキーを操作すると、この再生開始指令を受けて、コントローラ１５が再生モードに移行する（ステップＳ１２）。
そして、ＤＶＤ３のリードインエリヤから管理情報が読み取られると、コントローラ１５はメモリ１４に管理情報を記憶させる（ステップＳ１３）。
この管理情報には、ＥＰＧ情報としてタイトル、ジャンル、放送チャンネル、番組の所要時間等が含まれている。
【００１４】
ここで、コントローラ１５は、再生開始・終了時刻の時間データや再生ジャンルのデータ等をランダムに生成して、メモリ１４に記憶させる（ステップＳ１４）。
時間データは、図２に一例を示す如く、メモリ１４に再生用時間テーブルを設定し、乱数発生器１５ａからの乱数情報に基づいて複数の時間の組み合わせを生成する。
本例では、早朝から深夜までの時間帯を２〜４時間の幅で６等分し、各時間帯に識別用のコード（時間帯コード）１〜６を付している。
また、ＯＮ／ＯＦＦの時刻が多様になるよう、複数のパターンを設定可能で、３パターンに設定する例では、各パターンに１〜３のコード（パターンコード）を付与する。
パターン１において、早朝の時間帯におけるＯＮ時刻を6時１２分、ＯＦＦ時刻を１０時０３分に生成すると、この時間データはパターン１におけるタイムコード１として“１，１”を登録する。
また、夕刻において、ＯＮ時刻を１７時０４分、ＯＦＦ時刻を１９時５３分にすると、パターン１におけるタイムコードとして“１，４”を登録する。
さらに、パターン３に入り、例えば、午前の設定において、ＯＮ時刻を１０時０６分、ＯＦＦ時刻を１２時５２分にすると、パターン３におけるタイムコードとして“３，２”を登録する。
次いで、コントローラ１５は、ランダム再生のために時間帯毎の再生開始・終了時刻およびジャンルを選択設定する。
早朝の時間帯の場合、まず、パターン１の時間データから選択し、そのタイムコード“１，１のＯＮ時刻6時１２分とＯＦＦ時刻１０時０３分をセットする。
また、コントローラ１５は、早朝の時間帯におけるジャンルとして、前述のドラマ、バラエティ、アニメ、スポーツ、ミュージック等のうち、ドラマを選択設定する。これにより、ランダム再生の事前設定がなされる。
続いて、コントローラ１５は、再生開始時刻か否かを判別し（ステップＳ１５）、ランダム設定された再生開始時刻になると、再生を開始させてＤＶＤ３のユーザーデータエリヤから情報を読み取らせる（ステップＳ１６）。
【００１５】
この再生情報が、デコード部１０でデコードされると、アナログの音声・映像信号としてテレビ２側に送出される。
【００１６】
これにより、テレビ２の画面に再生映像が表示され、スピーカから音声が放音される。      
【００１７】
そして、このドラマが終了すると、コントローラ１５は、このドラマに関連したジャンルの非定型会話を再生させる。
ここでは、先行するジャンルがドラマのため、感想や批評の会話ジャンルを選択する。よって、テレビドラマを視聴した後に家人の会話が続く。
この後、コントローラ１５は、再生終了時刻になったか否かを判別し（ステップＳ１７）、ランダム設定された終了時刻になると、一連の再生動作を終了させる。
このように、家人が早朝に外出した後、テレビ２からドラマが放送され、それが終わると話し声が聞こえる。
このため、家人が在宅しているように見せかけることができ、不審者に見破られ難くなる。
また、他の時間帯においても、それに応じたジャンルの情報がランダム再生される。例えば、スポーツが選択された場合、野球ならば男性の声による批評を続けることもできるので、常に大人がいるように見せかけられる。
さらに、コントローラ１５は、テレビ放送番組以外の情報を再生させた後、日常的な話し声をパターンにした定型会話の何れかを選択的に再生させるので、在宅の状態と何ら変わらないように見せかけることができる。
ところで、不在が長期になる場合でも、記憶容量の大きいハードディスク（ＨＤ）に前記音声・映像情報を長時間分記録しておくことにより、その再生機能を備えた機器で繰り返しのランダム再生を行なわせることができる。
この際は、コントローラ１５が同じ時間帯であっても、再生開始・終了時刻およびジャンルをランダムに選択設定する。
よって、従来のように音声・映像情報の表示がワンパターンとならないため、不審者が潜んでいても不在を見破られ難くなる。
【００１８】
なお、上記実施の形態では、ディスクプレイヤー１にテレビ２を接続する場合について説明したが、このディスクプレイヤー１に代えて、ディスクレコーダーを使用したり、磁気テープに前記各種情報を記録して、ＶＴＲにより再生させる構成としてもよい。
また、ディスクプレイヤー１にプロジェクターを接続して映像を表示したり、テープレコーダーを用いて音声を放音させるようにしてもよい。
【図面の簡単な説明】
【００１９】
【図１】本発明の一実施形態である防犯機能を備えたＡＶ装置の電気的構成を示すブロック線図である。
【図２】ランダム再生用の時間データテーブルの一例を示す説明図である。
【図３】防犯機能を備えたＡＶ装置の動作を説明するためのフローチャートである。
【符号の説明】
【００２０】
２        宅内ＡＶ機器
３        情報記録媒体
１５      制御手段
１５ａ    乱数発生手段
【図１】
0004835226.tif 000002
【図２】
0004835226.tif 000003
【図３】
0004835226.tif 000004